(57)【要約】【課題】  道路の走行方向において左右非対称となる配光性を維持しつつ、従来に比べて照明効率を一層高めた道路灯を提供する。【解決手段】  道路の走行方向に沿って配置された直管形ランプ１と、この直管形ランプ１の背面側に配置された反射鏡２とを備え、反射鏡２は、複数個の小形の部分反射鏡３が管軸方向に沿って所定のピッチで順次配設されてなり、これらの部分反射鏡３は、その反射面が放物面の一部を形成し、その焦点Ｆが直管形ランプ１の軸線上に位置するとともに、その主軸Ｌ２が直管形ランプ１の管軸方向と所定角度ψだけ傾斜し、かつ、透光開口側が路面に向かうように配置されている。【選択図】  図２
2006331753.tif 000002
【特許請求の範囲】
【請求項１】
道路の走行方向に沿って管軸方向が配置された直管形ランプと、この直管形ランプの背面側に配置されて当該ランプからの出射光を前記走行方向に沿った路面上に向けて反射する反射鏡とを備えた道路灯において、前記反射鏡は、複数個の小形の部分反射鏡が前記管軸方向に沿って所定のピッチで順次配設されてなり、これらの部分反射鏡は、その反射面が放物面の一部を形成しており、その焦点が前記直管形ランプの軸線上に位置するとともに、その主軸が直管形ランプの管軸方向と所定角度だけ傾斜し、かつ、透光開口側が路面に向かうように配置されている、ことを特徴とする道路灯。
【請求項２】
前記各部分反射鏡の内、隣接する部分反射鏡同士は接続反射鏡によって互いに連結されており、この接続反射鏡の反射面は、その反射面の臨む部分反射鏡の主軸と略並行になるように形成されていることを特徴とする請求項１記載の道路灯。
【請求項３】
前記反射鏡と前記直管形ランプを挟んで対向する箇所には、前記直管形ランプの管軸方向と略直交する方向への出射した正面側の光を、直交方向から所定角度だけ直管形ランプ側に傾斜した方向に向けて反射する複数の反射板がルーバ状に配置されていることを特徴とする請求項１または請求項２に記載の道路灯。
【発明の詳細な説明】
【技術分野】
【０００１】
本発明は、道路やトンネル等に配置される道路灯に関し、特には、光源として直管形ランプを使用する場合において、道路の走行方向において輝度が左右非対称となるような配光性を維持しつつ、照明効率を向上させるための技術に関する。
【背景技術】
【０００２】
従来、トンネル内の照明を行う方式として、カウンタビーム照明方式やプロビーム照明方式がある。前者のカウンタビーム照明方式は、トンネルの天井部に道路灯を配置して道路を走行するドライバに対面する方向に照明する方式であって、道路上の障害物に対する路面とのコントラストが高くなることから、障害物が視認し易くなるという利点を有する。一方、後者のプロビーム照明方式は、トンネルの天井部に道路灯を配置して道路を走行するドライバの走行先方向に照明する方式であって、先行車の背面を積極的に照明できることから、先行車のトンネル進入直後やトンネル出口直前の状態を視認し易いという利点を有する。このような、カウンタビーム照明方式やプロビーム照明方式を採用するためには、道路の走行方向において左右非対称の配光性をもたせる必要がある。
【０００３】
ところで、照明光源として直管形ランプを使用する場合、この直管形ランプの背面に管軸方向（長手方向）に沿って延びる断面ドーム状の反射鏡を配置したときには、その管軸方向の配光性は、全ての方向で均一ではなく、管軸方向に左右対称な配光性をもち、管軸方向と略直交する方向の輝度が最も高く、傾斜角度が大きくなるのに従って次第に輝度が低くなる。
【０００４】
したがって、前記のような構成の道路灯は、直管形ランプの管軸方向を道路の走行方向に一致させて配置したときには、道路の走行方向において輝度が左右非対称となるような配光性をもたせることが困難であり、上記のようなカウンタビーム照明方式やプロビーム照明方式への適用が難しい。
【０００５】
そこで、従来技術では、直管形ランプの背面に配置される反射鏡を分割し、各分割した反射鏡を直管形ランプの管軸方向から所定角度だけ傾斜して配置することで反射光に指向性をもたせ、これによって、道路の走行方向において左右非対称の配光となるようにした道路灯が提案されている（例えば、特許文献１参照）。
【特許文献１】特開２０００−０３５０９号公報
【発明の開示】
【発明が解決しようとする課題】
【０００６】
しかしながら、上記の特許文献１に記載されている従来技術のものは、道路の走行方向において輝度が左右非対称の配光とすることが可能であるものの、反射鏡の反射効率については十分に検討されておらず、このため、道路灯としての照明効率が不十分で、車両や路面を十分明るく照明することができなかった。
【０００７】
本発明は、上記の問題点に鑑みてなされたもので、道路の走行方向において輝度が左右非対称となる配光性を維持しつつ、従来に比べて照明効率を一層高めた道路灯を提供することを目的とする。
【課題を解決するための手段】
【０００８】
上記の目的を達成するために、本発明は、道路の走行方向に沿って管軸方向が配置された直管形ランプと、この直管形ランプの背面側に配置されて当該ランプからの出射光を前記走行方向に沿った路面上に向けて反射する反射鏡とを備えた道路灯において、次の構成を採用している。
【０００９】
すなわち、請求項１記載の発明において、上記の反射鏡は、複数個の小形の部分反射鏡が前記管軸方向に沿って所定のピッチで順次配設されてなり、これらの部分反射鏡は、その反射面が放物面の一部を形成しており、その焦点が前記直管形ランプの軸線上に位置するとともに、その主軸が直管形ランプの管軸方向と所定角度だけ傾斜し、かつ、透光開口側が路面に向かうように配置されていることを特徴としている。
【００１０】
また、請求項２記載の発明では、請求項１記載の発明の構成において、前記各部分反射鏡の内、隣接する部分反射鏡同士は接続反射鏡によって互いに連結されており、この接続反射鏡の反射面は、その反射面に臨む部分反射鏡の主軸と略並行になるように形成されていることを特徴としている。
【００１１】
請求項３記載の発明では、請求項１または請求項２に記載の発明の構成において、前記反射鏡と前記直管形ランプを挟んで対向する箇所には、前記直管形ランプの管軸方向と略直交する方向へ出射した正面側の光を、直交方向から所定角度だけ直管形ランプ側に傾斜した方向に向けて反射する複数の反射板がルーバ状に配置されていることを特徴としている。
【発明の効果】
【００１２】
請求項１記載の発明によれば、直管形ランプの背面側に配置された反射鏡は、各々の部分反射鏡が管軸方向に沿って所定のピッチで順次配設され、かつ各部分反射鏡は、その反射面が放物面の一部を形成していて、その焦点が直管形ランプの軸線上に位置しているので、直管形ランプの背面側からの出射光は、各々の部分反射鏡の反射面で反射されたときには大部分が平行光となって効率良く反射されるとともに、反射光の指向性が高まる。
【００１３】
しかも、直管形ランプの管軸方向と略直交する方向へ出射した輝度の大きな背面側の光は、反射鏡を構成する各々の部分反射鏡によって直交方向から所定角度だけ直管形ランプ側に傾斜した方向に向けて反射されるので、道路の走行方向において左右非対称となる配光性をもたせることができる。このため、従来に比べて照明効率を向上させることができ、例えばカウンタビーム照明やプロビーム照明を行うための道路灯として好適に使用することが可能になる。
【００１４】
請求項２記載の発明によれば、互いに隣接する部分反射鏡同士は接続反射鏡によって連結され、この接続反射鏡の反射面はその反射面の臨む部分反射鏡の主軸と略並行になるように形成されているので、部分反射鏡で反射される光が接続反射鏡で遮られることが少なくなり、その分、直管形ランプの背面側からの出射光がさらに効率良く反射されるため、請求項１記載の発明よりも一層照明効率を高めることができる。
【００１５】
請求項３記載の発明によれば、直管形ランプの正面側から出射された光は、このルーバ状に配置された各反射板で効率良く反射されて反射光の指向性が高くなるので、さらに一層照明効率を向上させることができる。
【発明を実施するための最良の形態】
【００１６】
以下、本発明の実施の形態について図面を参照して説明する。図１は本発明の実施の形態１における道路灯の要部を示す斜視図、図２は同道路灯の反射鏡の一部を拡大して示す縦断面図である。この実施の形態１の道路灯は、例えば直管形蛍光灯のような直管形ランプ１と、この直管形ランプ１の背面側に配置された反射鏡２とを備える。
【００１７】
直管形ランプ１は、その管軸方向が道路の走行方向と略並行になるように配置されており、図示しないランプソケットに装着されている。また、反射鏡２は、直管形ランプ１からの出射光を走行方向に沿った路面上に向けて反射するもので、図示しないブラケット等を介してケースに取り付けられている。この反射鏡２は、小形の部分反射鏡３の多数個が管軸方向Ｌ１に沿って一定のピッチで順次配設されるとともに、隣接する部分反射鏡３同士は接続反射鏡４を介して互いに連結されている。
【００１８】
上記の各部分反射鏡３は、その反射面が放物面の一部を形成しており、その焦点Ｆが直管形ランプ１の軸線Ｌ１上に位置するとともに、放物面の主軸Ｌ２が直管形ランプ１の管軸方向と所定角度ψだけ傾斜し、かつ、透光開口側が路面に向かうように配置されている。また、接続反射鏡４は、直管形ランプ１の背面側から外部に光が漏れるのを防止するためのものであって、本例の場合は、直管形ランプ１の管軸方向と略直交するように配置されている。
【００１９】
この構成の道路灯において、直管形ランプ１の背面側に配置された反射鏡２は、各々の部分反射鏡３が管軸方向に沿って一定のピッチで順次配設され、かつ各部分反射鏡３は、その反射面が放物面の一部を形成していて、その焦点Ｆが直管形ランプ１の軸線上に位置しているので、直管形ランプ１の背面側からの出射光は、各々の部分反射鏡３の反射面で反射されたときには大部分が平行光となって効率良く反射されるとともに、反射光の指向性が高まる。
【００２０】
しかも、直管形ランプ１の管軸方向と略直交する方向へ出射した輝度の大きな背面側の光は、反射鏡２を構成する各々の部分反射鏡３によって直交方向から所定角度だけ直管形ランプ１側に傾斜した方向に向けて反射されるので、道路の走行方向において左右非対称となる配光性をもたせることができる。このため、従来に比べて照明効率を向上させることができ、例えばカウンタビーム照明やプロビーム照明を行うための道路灯として好適に使用することが可能になる。
【００２１】
なお、部分反射鏡３は、必要に応じてその形状や主軸方向を異ならせたり、ピッチを変化させたりしてもよい。また、接続反射鏡４は、できるだけ小さくなるようにすると、この接続反射鏡４の臨む部分反射鏡３での反射光が遮られにくくなると共に、反射鏡２の製造が容易になる。
【００２２】
図３は本発明の実施の形態２における道路灯の要部を示す斜視図、図４は同道路灯の反射鏡の一部を拡大して示す縦断面図であり、実施の形態１と対応する構成部分には同一の符号を付す。この実施の形態２の道路灯の特徴は、互いに隣接する部分反射鏡３同士を連結する接続反射鏡４において、この接続反射鏡４の反射面がその反射面の臨む部分反射鏡３の主軸Ｌ２と略並行になるように傾斜して形成されていることである。その他の構成は、実施の形態１の場合と同様であるから、ここでは詳しい説明は省略する。
【００２３】
このように、この実施の形態２では、互いに隣接する部分反射鏡３同士を連結する接続反射鏡４の反射面が部分反射鏡３の主軸Ｌ２と略並行になるように傾斜して形成されているので、部分反射鏡３で反射される光が接続反射鏡４で遮られることが少なくなり、その分、直管形ランプ１の背面側からの出射光がさらに効率良く反射されるため、実施の形態１の場合よりも一層照明効率を高めることができる。また、部分反射鏡３と接続反射鏡４の接続部が実施の形態１より緩やかになり、反射鏡２の製造が容易になる。
【００２４】
その他の作用効果は、実施の形態１の場合と同様であるから、ここでは詳しい説明は省略する。なお、接続反射鏡４は、できるだけ小さくなるようにすると、最も輝度の高い管軸方向と略直交する方向への光を、部分反射鏡３で有効に所定方向へ照射できる。
【００２５】
図５は本発明の実施の形態３における道路灯の要部を示す斜視図であり、実施の形態１と対応する構成部分には同一の符号を付す。この実施の形態３における道路灯の特徴は、小形の部分反射鏡３の多数個が管軸方向Ｌ１に沿って一定のピッチで順次配設されているが、実施の形態１，２のように隣接する部分反射鏡３同士を互いに連結するような接続反射鏡４は設けられておらず、その代わりに、部分反射鏡３の背面側において管軸方向に沿って延びる断面ドーム状の反射鏡５が配置されていることである。
【００２６】
このような断面ドーム状の反射鏡５を設けた場合でも、直管形ランプ１の背面側から外部に光が漏れるのを有効に防止することができる。その他の構成、および作用効果は、実施の形態１の場合と同様であるから、ここでは詳しい説明は省略する。
【００２７】
図６は本発明の実施の形態４における道路灯の要部を示す斜視図、図７は同道路灯の一部を拡大して示す縦断面図であり、実施の形態１と対応する構成部分には同一の符号を付す。この実施の形態４の道路灯の特徴は、直管形ランプ１を挟んで反射鏡２と対向する箇所には、直管形ランプ１の管軸方向と略直交する方向へ出射した輝度の大きな正面側の光を、直交方向から所定角度だけ直管形ランプ１側に傾斜した方向に向けて反射する複数の反射板６がルーバ状に配置されていることである。この場合、各反射板６は、部分反射鏡３で反射された光を極力遮らないように、部分反射鏡３の主軸Ｌ２と略平行するように配置することが好ましい。その他の構成は、実施の形態１の場合と同様であるから、ここでは詳しい説明は省略する。
【００２８】
この構成によれば、直管形ランプ１の管軸方向と略直交する方向へ出射された輝度の大きな正面側の光は、ルーバ状に配置された各反射板６で効率良く反射されるとともに、反射光の指向性が高くなるので、さらに一層照明効率を向上させることができる。その他の作用効果は、実施の形態１の場合と同様であるから、ここでは詳しい説明は省略する。
【００２９】
なお、上記の実施の形態４では、実施の形態１の構成を有する反射鏡２に加えて、直管形ランプ１の正面側に複数の反射板６をルーバ状に配置した場合について説明したが、このような構成のものに限らず、例えば実施の形態２あるいは実施の形態３を構成を有する反射鏡２に加えて、直管形ランプ１の正面側に複数の反射板６をルーバ状に配置することも可能であり、実施の形態４の場合と同様の効果を奏することができる。
【図面の簡単な説明】
【００３０】
【図１】本発明の実施の形態１における道路灯の要部を示す斜視図である。
【図２】同道路灯の反射鏡の一部を拡大して示す縦断面図である。
【図３】本発明の実施の形態２における道路灯の要部を示す斜視図である。
【図４】同道路灯の反射鏡の一部を拡大して示す縦断面図である。
【図５】本発明の実施の形態３における道路灯の要部を示す斜視図である。
【図６】本発明の実施の形態４における道路灯の要部を示す斜視図である。
【図７】同道路灯の一部を拡大して示す縦断面図である。
【符号の説明】
【００３１】
１    直管形ランプ
２    反射鏡
３    部分反射鏡
４    接続反射鏡
６    反射板
Ｌ１  直管形ランプの軸線
Ｌ２  部分反射鏡の主軸
Ｆ    部分反射鏡の焦点
【図１】
2006331753.tif 000003
【図２】
2006331753.tif 000004
【図３】
2006331753.tif 000005
【図４】
2006331753.tif 000006
【図５】
2006331753.tif 000007
【図６】
2006331753.tif 000008
【図７】
2006331753.tif 000009